(57)【要約】【課題】  センター役物装置における遊技球の動きを安定させることができるパチンコ遊技機を提供すること。【解決手段】  遊技盤１のほぼ中央に配置されたセンター役物装置２の上方に前方に張り出し形成された誘導通路２１を備えたパチンコ遊技機であって、誘導通路21は、移動する遊技球５０を支持する底面２２と、この底面２２の前端縁から立設した前壁２３とを備え、前壁２３の内面に遊技球をガイドするガイド溝２４を形成するようにした。【選択図】      図３
2006320487.tif 000002
【特許請求の範囲】
【請求項１】
遊技盤のほぼ中央に配置された役物装置の上方に前方に張り出し形成された誘導通路を備えたパチンコ遊技機であって、前記誘導通路は、移動する遊技球を支持する底面と、該底面の前端縁から立設した前壁と、を備え、
前記前壁の内面に遊技球をガイドするガイド溝を形成したことを特徴とするパチンコ遊技機。
【請求項２】
前記ガイド溝の断面形状は、前記遊技球が前記誘導通路上を移動する際に、前記遊技球の外形状の一部を嵌合させるように円弧状に形成されていることを特徴とする請求項１に記載のパチンコ遊技機。
【請求項３】
前記誘導通路の底面は、奥側から手前側へ下向きに傾斜する傾斜面であることを特徴とする請求項１又は請求項２に記載のパチンコ遊技機。
【発明の詳細な説明】
【技術分野】
【０００１】
本発明は、パチンコ遊技機に係わり、特に、特定の図柄を表示する図柄表示装置を備えたパチンコ遊技機に関するものである。
【背景技術】
【０００２】
従来から遊技機の一種として、複数種類の図柄などを予め定められた配列で変動表示するための図柄表示装置（可変表示装置）を備えたパチンコ遊技機が知られている。
この種のパチンコ遊技機では、遊技盤に形成された遊技領域へ打ち出された遊技球が始動口に入賞すると、液晶表示画面などから成る可変表示装置に各種図柄などの識別情報をスクロールするように可変表示し、所定時間経過後に可変表示を停止する可変表示遊技を実行する。
可変表示遊技における変動表示が停止確定した際の表示結果が、例えば同位置ライン上に全て同一の識別情報が揃うなど（例えば「３３３」）、所定の識別情報の組合せである特別表示態様が確定すると、特別遊技状態（大当たり状態）が発生する。即ち、大入賞口が所定回数を限度に繰り返し開閉することで、遊技者に遊技価値を付与可能な状態を形成するようにしていた。
【０００３】
上記したような図柄表示装置には、例えば液晶表示装置が広く利用されているが、近年、液晶表示装置の技術の向上、及びその低価格化に伴い、液晶表示画面の大型化が進み、現在では液晶表示画面を有するセンター役物装置が遊技盤の遊技領域の大半を占める構成となっている。液晶表示画面を大型化した場合は、遊技者に対してより迫力のある画像を表示し、インパクトのある遊技演出を表現することが可能になる。
液晶表示装置等にて構成された図柄表示装置を内部に備えたセンター役物装置において、遊技球が液晶表示画面に頻繁に衝突すると液晶画面が破損するなどして長期の使用に耐えられなくなる。このため、通常は、図柄表示装置を保護するために、その周囲にセンター枠部材が取り付けられている。
【０００４】
ところで、上記のようなパチンコ遊技機では、遊技球の落下速度が速すぎると、遊技球を始動口や入賞口に案内するのが困難になると共に、遊技盤上に設けられている飾り部材等を破損するおそれがあった。また。遊技球の落下速度が速いと遊技者が遊技球を視認するのが困難になり遊技性が損なわれるおそれがあった。
このため、パチンコ遊技機においては、センター役物装置のセンター枠部材の上方に天導部と呼ばれる遊技球をセンター役物装置の両側に誘導するための誘導通路を形成してセンター役物装置の左右へと遊技球を導くことにより、遊技球の落下速度を抑えるようにしていた。なお、先行文献としては特許文献１乃至４等がある。
【特許文献１】特開２０００−０２４１９０公報
【特許文献２】特開２００２−２３９１０４公報
【特許文献３】特許第３０８７９５７号
【特許文献４】特開２００３−０４７７０５公報
【発明の開示】
【発明が解決しようとする課題】
【０００５】
ところで、近年、センター役物装置の大型化に伴って、遊技盤の遊技領域に対するセンター役物装置の割合が大きくなり、上記したようなセンター役物装置の天導部における遊技球の振り分け部材としての役割が重要になっている。特に、遊技球の飛び方向や流下方向の安定化などの面でもセンター役物装置が担う役割は大きいものとなっている。
しかしながら、上記したような従来のパチンコ遊技機では、センター役物装置の天導部に衝突した遊技球の動きにムラが発生し易く、遊技球の流れが不安定になるおそれがあった。
そこで、本発明はこのような状況を鑑みてなされたものであり、センター役物装置における遊技球の動きを安定させることができるパチンコ遊技機を提供することを目的とする。
【課題を解決するための手段】
【０００６】
上記目的を達成するため、請求項１に記載の発明は、遊技盤のほぼ中央に配置された役物装置の上方に前方に張り出し形成された誘導通路を備えたパチンコ遊技機であって、前記誘導通路は、移動する遊技球を支持する底面と、該底面の前端縁から立設した前壁と、を備え、前記前壁の内面に遊技球をガイドするガイド溝を形成したことを特徴とする。
また請求項２に記載の発明は、前記ガイド溝の断面形状は、前記遊技球が前記誘導通路上を移動する際に、前記遊技球の外形状の一部を嵌合させるように円弧状に形成されている請求項１に記載のパチンコ遊技機を特徴とする。
また請求項３に記載の発明は、前記誘導通路は、前記遊技盤面側より遊技者側の方が低くなるように傾斜が設けられている請求項１又は請求項２に記載のパチンコ遊技機を特徴とする。
【発明の効果】
【０００７】
本発明によれば、役物装置の上方に設けられた誘導通路の底面の遊技者側（前方）に前壁を設け、この前壁に誘導通路上の遊技球の側面（外周面の一部）を支持するようなガイド溝を形成したことにより、遊技球がこのガイド溝に支えられた状態で誘導通路の底面上を流下することになる。このように構成すれば、前壁に設けられたガイド溝により遊技球の上下方向の動きを抑制することができるので、役物装置の上方に設けた誘導通路における遊技球の動きのムラを抑制し安定した遊技球の動きを実現できるようになる。
【発明を実施するための最良の形態】
【０００８】
以下、本発明のパチンコ遊技機の実施形態について説明する。
図１は、本実施形態に係るパチンコ遊技機の遊技盤の正面図である。
この図１に示すように遊技盤１の遊技領域の略中央上部にはセンター役物装置２が配置されている。センター役物装置２は、例えば液晶表示装置により構成された図柄表示装置３と、図柄表示装置３の周囲に取り付けられたセンター枠部材４とにより構成される。このセンター役物装置２を構成するセンター枠部材４の上方に位置する天導部２０には、遊技盤１の遊技領域内に発射された遊技球をセンター役物装置２の左右両側に誘導するための誘導通路（この図には示していない）が遊技盤１の遊技領域側（前方）に突出するように張り出し形成されている。なお、天導部２０の構造については後述する。
【０００９】
センター役物装置２の下方中央位置には、図柄表示装置３の特別図柄を変動表示させるための始動口５が設けられている。また始動口５の左右両側には図柄表示装置３に表示される普通図柄を作動させるためのゲート６が設けられている。
また始動口５の下方には、特別遊技状態の一つである大当たり状態のときに開成状態になる可変入賞装置として開閉扉が開閉動作する大入賞口７が設けられている。図１においては大入賞口の開閉扉が開いている状態が示されている。
なお、遊技盤１の左右には風車８、左右一対の開閉爪を有する電動式チューリップ９、普通入賞口１０、最下部にアウト口１１等が設けられている。
【００１０】
図柄表示装置３に表示される普通図柄は、１個または複数個の図柄を変動表示可能であり、普通図柄始動口としてのゲート６が遊技球を検出することを条件に、その図柄が乱数制御等により所定時間可変して停止するようになっている。普通図柄としては、数字図柄、アルファベット図柄、キャラクター図柄、その他の適宜の遊技図柄が使用される。そして、ゲート６を遊技球が通過したことを条件に乱数制御により普通図柄が所定態様となった場合に始動口５の直下に設けられた電動式チューリップ９の開閉可能な開閉爪を所定時間、開動作するように構成されている。
【００１１】
また図柄表示装置３に表示される特別図柄は、停止図柄が予め定められた図柄の組合せ、例えば同一図柄の組合せとなった場合に大当たり状態となるように構成されている。また特別図柄は、始動口５または電動チューリップ９が遊技球の入賞を検出することを条件に乱数制御等により表示がスクロールする等、所定の変動パターンで所定時間変動（可変）して所定の図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１２】
図２は、センター役物装置を構成するセンター枠部材の天導部の構成を示した図であり、同図（ａ）は正面図、（ｂ）は上面図、（ｃ）は側面図である。また図３は図２に示した天導部２０のＡ−Ａ線に示した部分の断面構造を示した図である。
これら図２、図３に示すように、センター枠部材４の天導部２０の上面には遊技球５０を左右両側に誘導するための誘導通路が形成されている。
天導部２０の上面には、底面２２と、底面２２の前端縁に沿って立設させた前壁２３とにより誘導通路２１が形成され、さらにこの前壁２３に例えば円弧状のガイド溝２４を形成するようにしている。またこのとき天導部２０の上面に設けられている誘導通路２１の底面２２は、図３に示すように遊技盤面１側（奥側）から遊技者側（手前側）へ向けて下向きに傾斜した傾斜面となっている。
【００１３】
このように構成される本実施形態のパチンコ遊技機においては、センター役物装置２を構成するセンター枠部材４の天導部２０に形成した遊技球５０を誘導する誘導通路２１の前壁２３に円弧状のガイド溝２４を形成したことにより、誘導通路２１の底面２２上を移動する遊技球５０の外面の一部は常にガイド溝２４内に嵌合した状態となり、遊技球５０の振動を抑制することができるようになる。
このとき、遊技球５０の振動を抑制するために設けた円弧状のガイド溝２４は、その形状を遊技球５０が誘導通路２１の底面２２に接地している状態の時に、その遊技球５０の外形状と一致する円弧形状にすることが考えられる。つまり、一般的な遊技球５０の直径は１１ｍｍで構成されていることから、この前壁２３に設けられるガイド溝２４も直径１１ｍｍの円弧を基準にして形成するか、もしくは１１ｍｍよりも若干だけ大きめな円弧に設定して形成すると、このガイド溝２４により遊技球５０の外面の一部が支持されることとなるため、遊技球５０の上下方向への振動が抑制され、遊技球５０の安定化を図ることができる。
【００１４】
また遊技盤面１側より遊技者側の方が低くなるように誘導通路２１の底面２２に傾斜を設けることにより、遊技球５０がガイド溝２４側に当接しようとする方向に働く運動成分が傾斜を設ける前の状態に比べて強まるので、これにより円弧状のガイド溝２４内に遊技球５０が嵌合する確率が高まるため、遊技球５０の振動をより抑制することができるようになる。
なお、本実施の形態では図柄表示装置３の周囲に配置されたセンター枠部材４の上方に天導部２０を形成する場合を例に挙げて説明したが、これはあくまでも一例であり、少なくとも図柄表示装置３の上方に遊技球５０をセンター役物装置の片側または両側に誘導する天導部２０を形成することも勿論可能である。
【００１５】
また、本実施の形態では、一例としてセンター役物装置の内部に液晶表示装置等の図柄表示装置を配設する場合を例に挙げたが、本発明はこのような構成に限定されるものでなく、その他に、例えば可動することにより遊技球の流下方向を振り分け大当たりの抽選を行う可変入賞装置などを内部に配設するパチンコ遊技機に適用する場合も考えられる。
【図面の簡単な説明】
【００１６】
【図１】本発明の実施形態に係るパチンコ遊技機の遊技盤の正面図。
【図２】センター役物装置を構成するセンター枠部材の天導部の構成を示した図であり、（ａ）は正面図、（ｂ）は上面図、（ｃ）は側面図。
【図３】図２に示した天導部のＡ−Ａ線で示した部分の断面構造を示した図。
【符号の説明】
【００１７】
１…パチンコ遊技機、２…センター役物装置、３…図柄表示装置、４…センター枠部材、２０…天導部、２１…誘導通路、２２…底面、２３…前側、２４…ガイド溝、５０…遊技球
【図１】
2006320487.tif 000003
【図２】
2006320487.tif 000004
【図３】
2006320487.tif 000005